(57)【特許請求の範囲】
【請求項１】
中空二重壁構造の成形品をブロー成形するためのブロー成形用金型であって、ブロー成形品の一方の半体を成形するキャビティを有する一方の金型と、ブロー成形品の他方の半体を成形するキャビティを有する他方の金型の一対の分割金型からなり、他方の金型には、型締め後に中空二重壁構造の他方の半体の樹脂壁の一部を一方の半体の樹脂壁に接するまで突出させて両樹脂壁を溶着させる進退自在のスライドコアを備えており、このスライドコアの近接部位に、パリソンのスライドコアを突出させる部分をキャビティに吸着保持させるバキューム手段を備えてなることを特徴とするブロー成形用金型。
【請求項２】
請求項１記載のブロー成形用金型を用いて中空二重壁構造の成形品をブロー成形する方法であって、一対の分割金型間にパリソンを配置して型締めし、次いで、パリソンのスライドコアの近接部分をバキューム手段によりキャビティに吸着保持してからスライドコアを進出させ、パリソンのその部分をパリソンの対向部分に接するまで突出させて、その突出させた頂端面をパリソンの対向部分に溶着し、続いて、スライドコアをキャビティ面まで後退させ、その状態でパリソン内に圧力流体を導入してブロー成形し、パリソンのスライドコアで突出させた部分を、その両側面が互いに押圧されて一体に溶着されたインナーリブとすることを特徴とするブロー成形方法。
【発明の詳細な説明】
【０００１】
【発明の属する技術分野】
本発明は、中空二重壁構造の成形品をブロー成形するためのブロー成形用金型およびその金型を用いて中空二重壁構造の成形品をブロー成形する方法に関するものである。
【０００２】
【従来の技術】
従来から、建築物の内装壁、パーティション、扉、あるいは自動車用部品であるヘッドレスト、アームレスト、リヤーパーセルシェルフ、カーゴフロアパネルなどを構成するプラスチック製パネルなどのプラスチック中空体は、熱可塑性プラスチックをブロー成形したものが用いられている。そして、一方の樹脂壁と他方の樹脂壁との間に補強のためのインナーリブを形成することも行われている（特公平４−３１２８８号公報参照）。
【０００３】
【発明が解決しようとする課題】
上記特公平４−３１２８８号公報に記載されているように、補強のためのインナーリブを有するプラスチック中空体のブロー成形においては、一対の分割金型間に熱可塑性プラスチックのパリソンを配置して型締めし、他方の金型に設けたスライドコアを進出させることにより中空二重壁構造の他方の樹脂壁の一部を一方の樹脂壁に接するまで突出させて両樹脂壁を溶着させてからスライドコアをキャビティ面まで後退させ、次いでパリソン内に導入される圧力流体によるブロー圧により突出した樹脂壁の側面を互いに溶着して一方の樹脂壁と他方の樹脂壁との間に一体的な樹脂壁であるインナーリブを形成している。
【０００４】
ところが、上記のようにパリソンの一部をスライドコアにより突出させてインナーリブを成形する方法においては、図７に示すようにスライドコアａによってパリソンｂの一部を突出させて図８に示すようにスライドコアａを後退させると、パリソンｂの突出させた部分ｃは山形状となっているので、パリソンｂ内に圧力流体を導入すると、パリソンｂの突出させた部分ｃのうち特に突出基端側ｄのブロー比が大きくなるところから、図９に示すように、突出基端側ｄの部分が薄肉状となってしまい、インナーリブｅの強度が低下することが種々の実験により分かっている。
【０００５】
そこで、本発明の目的は、パリソンの一部をスライドコアにより突出させ、ブロー圧により成形品の内部に形成するインナーリブに薄肉部分が生じないようにブロー成形することができるブロー成形用金型およびそれを用いて中空二重壁構造の成形品をブロー成形する方法を提供しようとするものである。
【０００６】
【課題を解決するための手段】
上記目的を達成する本発明の請求項１に係る発明は、中空二重壁構造の成形品をブロー成形するためのブロー成形用金型であって、ブロー成形品の一方の半体を成形するキャビティを有する一方の金型と、ブロー成形品の他方の半体を成形するキャビティを有する他方の金型の一対の分割金型からなり、他方の金型には、型締め後に中空二重壁構造の他方の半体の樹脂壁の一部を一方の半体の樹脂壁に接するまで突出させて両樹脂壁を溶着させる進退自在のスライドコアを備えており、このスライドコアの近接部位に、パリソンのスライドコアを突出させる部分をキャビティに吸着保持させるバキューム手段を備えてなることを特徴とするブロー成形用金型である。
【０００７】
また、請求項２に係る発明は、請求項１記載のブロー成形用金型を用いて中空二重壁構造の成形品をブロー成形する方法であって、一対の分割金型間にパリソンを配置して型締めし、次いで、パリソンのスライドコアの近接部分をバキューム手段によりキャビティに吸着保持してからスライドコアを進出させ、パリソンのその部分をパリソンの対向部分に接するまで突出させて、その突出させた頂端面をパリソンの対向部分に溶着し、続いて、スライドコアをキャビティ面まで後退させ、その状態でパリソン内に圧力流体を導入してブロー成形し、パリソンのスライドコアで突出させた部分を、その両側面が互いに押圧されて一体に溶着されたインナーリブとすることを特徴とするブロー成形方法である。
【０００８】
【発明の実施の形態】
図１は本発明に係るブロー成形用金型を用いたブロー成形態様を示す断面図、図２ないし図６は図１の要部断面図であって、図２は分割金型間にシート状パリソンを配置した工程を、図３はスライドコアを進出させた工程を、図４はスライドコアを後退させた工程を、図５はパリソン間に圧力流体を導入してインナーリブを形成した工程をそれぞれ示しており、図６は図５の他の態様を示している。
【０００９】
図１ないし図５に示すように、本発明に係るブロー成形用金型は一対の分割金型からなり、その一方の金型１にはパネル（ブロー成形品、以下同じ）の半体を成形するキャビティ３を、他方の金型２にはパネルの他方の半体を成形するキャビティ４を有している。一方の金型１と他方の金型２の間にはシート状パリソン５、５が配置される。他方の金型２には、パネルの他方の樹脂壁にインナーリブ６を突出形成するためのスライドコア７がキャビティ４に対して出没自在に設けられている。
【００１０】
上記スライドコア７を備えた他方の金型２には、スライドコア７を挟みかつその近接部位に、パリソン５のスライドコア７を突出させる部分５ａをキャビティ４に吸着保持させるバキューム手段８、８を備えている。なお、図示していないが、この他方の金型２のキャビティ４には、上記バキューム手段８、８のほかに、パリソン５を吸着保持するバキューム手段を備えている。また、一方の金型１にもパリソン５をキャビティ３に吸着保持させるバキューム手段９を適宜間隔で設けている。１０、１０は樹脂押出ダイである。
【００１１】
前記のように構成された一対の分割金型によりパネルをブロー成形するには、図１に示すように、一方の金型１および他方の金型２を開いて、その間にシート状パリソン５、５を配置し、図２に示すように型締めする。このように型締めしたときはパリソン５、５はキャビテイ３、４の周囲に形成されたピンチオフ部１１、１１によって内部を密閉状に挟持されるので、一方の金型１のバキューム手段９、他方の金型２のバキューム手段８、８および図示していないバキューム手段を作動させて、パリソン５、５をキャビティ３、４に吸着保持する。
【００１２】
次いで、図３に示すように、スライドコア７をキャビティ４から進出させ、パリソン５の他方の樹脂壁となる部分の一部をパリソン５の一方の樹脂壁となる部分に接するまで突出させて、その突出部分１２の頂端面１３をパリソン５の一方の樹脂壁となる部分に溶着する。
【００１３】
続いて、図４に示すように、スライドコア７をキャビティ４の面と同一の位置まで後退させ、その状態でパリソン５、５内に圧力流体を導入すると、パリソン５、５はキャビティ３、４の面に圧着されてパネルが成形されるとともに、スライドコア７により突出させた突出部分１２はその両側面が互いに押圧されて一体に溶着されるので、図５に示すように、パネルにはその内部にインナーリブ６が形成される。
【００１４】
このような、ブロー成形によるインナーリブ６の成形時においては、パリソン５のスライドコア７による突出部分１２の両側近傍が、バキューム手段８、８によりキャビティ４に吸着保持されているので、図４の状態から図５の状態に至る過程において図９に示すように突出部分１２の周囲に形成されるパリソン全体としてほぼ均一な肉厚となり、特に突出基端側ｅの部分が薄肉状となることがなく、強度および剛性にすぐれたインナーリブ６が形成される。
【００１５】
図６に示すブロー成形態様は図５の他の態様であるが、インナーリブ６の頂端部分１４の厚みを強度および剛性を損なわない程度に薄く形成してある。このようにインナーリブ６の頂端部分１４をできるだけ薄く形成することにより、樹脂壁の表面側に頂端面１３の溶着痕が現出するのを防止したり、目立たないようにすることができる。
【００１６】
本発明に係るブロー成形用金型を用いてブロー成形されるパネルの構成材料は、ポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、さらにはポリカーボネート、変性ポリフェニレンエーテルなどのエンジニアリングプラスチックスなどの熱可塑性樹脂である。
【００１７】
なお、本発明の実施の形態においては、シート状パリソン５、５によるブロー成形態様を例示したが、管状のパリソンによるブロー成形態様も勿論可能である。
【００１８】
【発明の効果】
本発明に係るブロー成形用金型およびそれを用いて中空二重壁構造の成形品をブロー成形する方法によれば、パリソンのスライドコアの近接部分をバキューム手段によりキャビティに吸着保持してスライドコアを進出させ、パリソンのその部分をパリソンの対向部分に接するまで突出させたうえ、パリソン内に圧力流体を導入してブロー圧により成形品の内部に形成するインナーリブを成形するので、パリソンの突出基端側に薄肉部分が生ぜず、強度および剛性にすぐれたインナーリブを成形することができる。
【図面の簡単な説明】
【図１】本発明に係るブロー成形用金型を用いたブロー成形態様を示す断面図である。
【図２】分割金型間にシート状パリソンを配置した工程を示す要部の断面図である。
【図３】図２の態様からスライドコアを進出させた工程を示す要部の断面図である。
【図４】図３の態様からスライドコアを後退させた工程を示す要部の断面図である。
【図５】図４の態様からパリソン間に圧力流体を導入してインナーリブを形成した工程を示す要部の断面図である。
【図６】図５の他の態様を示す要部の断面図である。
【図７】従来のブロー成形態様であって、パリソンの一部をスライドコアで突出させた工程を示す断面図である。
【図８】図７の態様からスライドコアを後退させた工程を示す断面図である。
【図９】図８の態様からパリソン間に圧力流体を導入してインナーリブを形成した工程を示す断面図である。
【符号の説明】
１  一方の金型
２  他方の金型
３  キャビティ
４  キャビティ
５  パリソン
６  インナーリブ
７  スライドコア
８  バキューム手段
９  バキューム手段
１０  樹脂押出ダイ
１１  ピンチオフ部
１２  突出部分
１３  頂端面
１４  頂端部分
【図１】
0004662321.tif 000002
【図２】
0004662321.tif 000003
【図３】
0004662321.tif 000004
【図４】
0004662321.tif 000005
【図５】
0004662321.tif 000006
【図６】
0004662321.tif 000007
【図７】
0004662321.tif 000008
【図８】
0004662321.tif 000009
【図９】
0004662321.tif 000010